(57)【要約】【課題】  情報データに施されているエフェクトを実現するための機能を有していない装置で前記情報データを再生した場合でも、前記情報データにエフェクトが施されていることを視聴者に確実に認識させることができるようにする。【解決手段】  画像データの編集に用いた映像処理装置１００と異なる第２の映像処理装置が、映像処理装置１００で指定されたエフェクトに対応していない場合には、そのエフェクトの代わりとなるテキスト表示やグラフィック表示が前記画像データに重ね合わせられた画像１１０２を表示することにより、前記画像データを前記第２の映像処理装置で再生した場合に、編集者の意図するエフェクトが前記画像データに施せていないことを、視聴者に容易に且つ確実に知らせることができるようにする。【選択図】  図９
2006033505.tif 000002
【特許請求の範囲】
【請求項１】
情報データと、前記情報データに施すエフェクトの処理内容を表すエフェクトデータと、前記エフェクトデータに基づいて前記情報データに施されるエフェクトの代わりとなる代替データとを入力する入力手段と、
前記入力手段により入力されたエフェクトデータに基づくエフェクトを前記情報データに施せるか否かを判断する判断手段と、
前記判断手段により、前記エフェクトデータに基づくエフェクトを前記情報データに施せると判断された場合には、前記エフェクトを施して前記情報データを再生し、前記判断手段により、前記エフェクトデータに基づくエフェクトを前記情報データに施せないと判断された場合には、前記情報データに前記エフェクトを施す代わりに、前記代替データを再生する再生手段とを有することを特徴とする情報再生装置。
【請求項２】
前記情報データは、画像データを含み、
前記代替データは、前記画像データに基づく画像に合成されるテキストデータを含み、
前記再生手段は、前記判断手段により、前記エフェクトデータに基づくエフェクトを前記画像データに施せないと判断された場合には、前記画像データに前記エフェクトを施す代わりに、前記テキストデータを前記画像データに合成して再生することを特徴とする請求項１に記載の情報再生装置。
【請求項３】
前記情報データは、画像データを含み、
前記代替データは、前記画像データに基づく画像に合成されるグラフィック・データを含み、
前記再生手段は、前記判断手段により、前記エフェクトデータに基づくエフェクトを前記画像データに施せないと判断された場合には、前記画像データに前記エフェクトを施す代わりに、前記グラフィック・データを前記画像データに合成して再生することを特徴とする請求項１に記載の情報再生装置。
【請求項４】
前記情報データは、第１の符号量で符号化された画像データを含み、
前記代替データは、前記エフェクトが施されている画像データであって、前記第１の符号量よりも少ない第２の符号量で符号化された画像データを含み、
前記再生手段は、前記判断手段により、前記エフェクトデータに基づくエフェクトを、前記第１の符号量で符号化された画像データに施せないと判断された場合には、前記第１の符号量で符号化された画像データに前記エフェクトを施す代わりに、前記第２の符号量で符号化された画像データを再生することを特徴とする請求項１に記載の情報再生装置。
【請求項５】
前記入力手段は、前記情報データと、前記情報データに施すエフェクトの処理内容を表すエフェクトデータと、前記エフェクトデータの代わりとなる代替データとを記録媒体から読み出すことを特徴とする請求項１〜４の何れか１項に記載の情報再生装置。
【請求項６】
前記入力手段は、前記情報データ、前記エフェクトデータ、及び前記代替データの再生手順を表す再生方法データを入力し、
前記再生手段は、前記判断手段により、前記エフェクトデータに基づくエフェクトを前記情報データに施せると判断された場合には、前記再生方法データに基づいて、前記エフェクトを施して前記情報データを再生し、前記判断手段により、前記エフェクトデータに基づくエフェクトを前記情報データに施せないと判断された場合には、前記情報データに前記エフェクトを施す代わりに、前記再生方法データに基づいて、前記代替データを再生することを特徴とする請求項１〜５の何れか１項に記載の情報再生装置。
【請求項７】
情報データに施すエフェクトの処理内容を表すエフェクトデータを作成するエフェクトデータ作成手段と、
前記エフェクトデータに基づいて前記情報データに施されるエフェクトの代わりとなる代替データを作成する代替データ作成手段と、
前記情報データと、前記エフェクトデータ作成手段により作成されたエフェクトデータと、前記代替データ作成手段により作成された代替データとを出力する出力手段とを有することを特徴とする情報処理装置。
【請求項８】
前記情報データは、画像データを含み、
前記代替データ作成手段は、前記画像データに基づく画像に合成されるテキストデータを作成することを特徴とする請求項７に記載の情報処理装置。
【請求項９】
前記情報データは、画像データを含み、
前記代替データ作成手段は、前記画像データに基づく画像に合成されるグラフィック・データを作成することを特徴とする請求項７に記載の情報処理装置。
【請求項１０】
情報データに施すエフェクトの処理内容を表すエフェクトデータを作成するエフェクトデータ作成手段と、
前記情報データを第１の符号量で符号化するとともに、前記エフェクトが施された情報データを前記第１の符号量よりも少ない第２の符号量で符号化する符号化手段と、
前記第１の符号量で符号化された情報データと、前記第２の符号量で符号化された情報データと、前記エフェクトデータとを出力する出力手段とを有し、
前記第２の符号量で符号化された情報データは、前記エフェクトデータに基づいて前記情報データに施されるエフェクトの代わりとなる代替データであることを特徴とする情報処理装置。
【請求項１１】
前記情報データは、画像データを含むことを特徴とする請求項１０に記載の情報処理装置。
【請求項１２】
前記出力手段は、前記情報データと、前記エフェクトデータと、前記代替データとを記録媒体に記録することを特徴とする請求項７〜１１の何れか１項に記載の情報処理装置。
【請求項１３】
ユーザが操作する操作手段を有し、
前記エフェクトデータ作成手段は、前記ユーザによる前記操作手段の操作内容に基づいて、前記エフェクトデータを作成することを特徴とする請求項７〜１２の何れか１項に記載の情報処理装置。
【請求項１４】
情報データと、前記情報データに施すエフェクトの処理内容を表すエフェクトデータと、前記エフェクトデータに基づいて前記情報データに施されるエフェクトの代わりとなる代替データとを入力する入力ステップと、
前記入力ステップにより入力されたエフェクトデータに基づくエフェクトを前記情報データに施せるか否かを判断する判断ステップと、
前記判断ステップにより、前記エフェクトデータに基づくエフェクトを前記情報データに施せると判断された場合には、前記エフェクトを施して前記情報データを再生し、前記判断ステップにより、前記エフェクトデータに基づくエフェクトを前記情報データに施せないと判断された場合には、前記情報データに前記エフェクトを施す代わりに、前記代替データを再生する再生ステップとを有することを特徴とする情報再生方法。
【請求項１５】
前記情報データは、画像データを含み、
前記代替データは、前記画像データに基づく画像に合成されるテキストデータを含み、
前記再生ステップは、前記判断ステップにより、前記エフェクトデータに基づくエフェクトを前記画像データに施せないと判断された場合には、前記画像データに前記エフェクトを施す代わりに、前記テキストデータを前記画像データに合成して再生することを特徴とする請求項１４に記載の情報再生方法。
【請求項１６】
前記情報データは、画像データを含み、
前記代替データは、前記画像データに基づく画像に合成されるグラフィック・データを含み、
前記再生ステップは、前記判断ステップにより、前記エフェクトデータに基づくエフェクトを前記画像データに施せないと判断された場合には、前記画像データに前記エフェクトを施す代わりに、前記グラフィック・データを前記画像データに合成して再生することを特徴とする請求項１４に記載の情報再生方法。
【請求項１７】
前記情報データは、第１の符号量で符号化された画像データを含み、
前記代替データは、前記エフェクトが施されている画像データであって、前記第１の符号量よりも少ない第２の符号量で符号化された画像データを含み、
前記再生ステップは、前記判断ステップにより、前記エフェクトデータに基づくエフェクトを、前記第１の符号量で符号化された画像データに施せないと判断された場合には、前記第１の符号量で符号化された画像データに前記エフェクトを施す代わりに、前記第２の符号量で符号化された画像データを再生することを特徴とする請求項１４に記載の情報再生方法。
【請求項１８】
前記入力ステップは、前記情報データと、前記情報データに施すエフェクトの処理内容を表すエフェクトデータと、前記エフェクトデータの代わりとなる代替データとを記録媒体から読み出すことを特徴とする請求項１４〜１７の何れか１項に記載の情報再生方法。
【請求項１９】
前記入力ステップは、前記情報データ、前記エフェクトデータ、及び前記代替データの再生手順を表す再生方法データを入力し、
前記再生ステップは、前記判断ステップにより、前記エフェクトデータに基づくエフェクトを前記情報データに施せると判断された場合には、前記再生方法データに基づいて、前記エフェクトを施して前記情報データを再生し、前記判断ステップにより、前記エフェクトデータに基づくエフェクトを前記情報データに施せないと判断された場合には、前記情報データに前記エフェクトを施す代わりに、前記再生方法データに基づいて、前記代替データを再生することを特徴とする請求項１４〜１８の何れか１項に記載の情報再生方法。
【請求項２０】
情報データに施すエフェクトの処理内容を表すエフェクトデータを作成するエフェクトデータ作成ステップと、
前記エフェクトデータに基づいて前記情報データに施されるエフェクトの代わりとなる代替データを作成する代替データ作成ステップと、
前記情報データと、前記エフェクトデータ作成ステップにより作成されたエフェクトデータと、前記代替データ作成ステップにより作成された代替データとを出力する出力ステップとを有することを特徴とする情報処理方法。
【請求項２１】
前記情報データは、画像データを含み、
前記代替データ作成ステップは、前記画像データに基づく画像に合成されるテキストデータを作成することを特徴とする請求項２０に記載の情報処理方法。
【請求項２２】
前記情報データは、画像データを含み、
前記代替データ作成ステップは、前記画像データに基づく画像に合成されるグラフィック・データを作成することを特徴とする請求項２０に記載の情報処理方法。
【請求項２３】
情報データに施すエフェクトの処理内容を表すエフェクトデータを作成するエフェクトデータ作成ステップと、
前記情報データを第１の符号量で符号化するとともに、前記エフェクトが施された情報データを前記第１の符号量よりも少ない第２の符号量で符号化する符号化ステップと、
前記第１の符号量で符号化された情報データと、前記第２の符号量で符号化された情報データと、前記エフェクトデータとを出力する出力ステップとを有し、
前記第２の符号量で符号化された情報データは、前記エフェクトデータに基づいて前記情報データに施されるエフェクトの代わりとなる代替データであることを特徴とする情報処理方法。
【請求項２４】
前記情報データは、画像データを含むことを特徴とする請求項２３に記載の情報処理方法。
【請求項２５】
前記出力ステップは、前記情報データと、前記エフェクトデータと、前記代替データとを記録媒体に記録することを特徴とする請求項２０〜２４の何れか１項に記載の情報処理方法。
【請求項２６】
前記エフェクトデータ作成ステップは、ユーザによる操作手段の操作内容に基づいて、前記エフェクトデータを作成することを特徴とする請求項２０〜２５の何れか１項に記載の情報処理方法。
【請求項２７】
情報データと、前記情報データに施すエフェクトの処理内容を表すエフェクトデータと、前記エフェクトデータに基づいて前記情報データに施されるエフェクトの代わりとなる代替データとを入力する入力ステップと、
前記入力ステップにより入力されたエフェクトデータに基づくエフェクトを前記情報データに施せるか否かを判断する判断ステップと、
前記判断ステップにより、前記エフェクトデータに基づくエフェクトを前記情報データに施せると判断された場合には、前記エフェクトを施して前記情報データを再生し、前記判断ステップにより、前記エフェクトデータに基づくエフェクトを前記情報データに施せないと判断された場合には、前記情報データに前記エフェクトを施す代わりに、前記代替データを再生する再生ステップとをコンピュータに実行させることを特徴とするコンピュータプログラム。
【請求項２８】
情報データに施すエフェクトの処理内容を表すエフェクトデータを作成するエフェクトデータ作成ステップと、
前記エフェクトデータに基づいて前記情報データに施されるエフェクトの代わりとなる代替データを作成する代替データ作成ステップと、
前記情報データと、前記エフェクトデータ作成ステップにより作成されたエフェクトデータと、前記代替データ作成ステップにより作成された代替データとを出力する出力ステップとをコンピュータに実行させることを特徴とするコンピュータプログラム。
【請求項２９】
情報データに施すエフェクトの処理内容を表すエフェクトデータを作成するエフェクトデータ作成ステップと、
前記情報データを第１の符号量で符号化するとともに、前記エフェクトが施された情報データを前記第１の符号量よりも少ない第２の符号量で符号化する符号化ステップと、
前記第１の符号量で符号化された情報データと、前記第２の符号量で符号化された情報データと、前記エフェクトデータとを出力する出力ステップとをコンピュータに実行させ、
前記第２の符号量で符号化された情報データは、前記エフェクトデータに基づいて前記情報データに施されるエフェクトの代わりとなる代替データであることを特徴とするコンピュータプログラム。
【請求項３０】
前記請求項２７〜２９の何れか１項に記載のコンピュータプログラムを記録したことを特徴とするコンピュータ読み取り可能な記録媒体。
【発明の詳細な説明】
【技術分野】
【０００１】
本発明は、情報再生装置、情報再生方法及びコンピュータプログラムに関し、特に情報データに対してエフェクトを施すために用いて好適なものである。
【背景技術】
【０００２】
従来の映像処理装置として、撮影または記録された映像データに対して、エフェクトを施し記録媒体に記録するように構成された映像処理装置がある（特許文献１を参照）。エフェクトを施す編集としては、エフェクトを施した後の映像データを記録媒体に記録する方法と、原画像データをそのまま記録するとともに、エフェクトの処理手順をも記録して、再生時にそのエフェクトの処理手順に従って原画像データを処理することでエフェクトを再現する方法とがある。
【０００３】
これらの方法のうち、後者は、非破壊編集と呼ばれ、画像に対するモザイク、ワイプ、フェード、色調変換といった特殊効果だけでなく、文字列やグラフィック・データの重ね合わせも記述することができる。すなわち、原画像データに対して施すエフェクトの種類、開始時間、終了時間、対象となる画像データの識別情報などが記録媒体に記録され、再生時には、指定された時間に、指定された画像データに対して、指定された種類のエフェクトを施してから表示装置に表示させることで、編集時と同じエフェクトを施した映像を再生することができる。
【０００４】
【特許文献１】特開２００３−１７９８５９号公報
【発明の開示】
【発明が解決しようとする課題】
【０００５】
しかしながら、前述した従来の技術では、編集者が映像データの編集に利用した映像処理装置（第１の映像処理装置）と、視聴者が前記映像データを再生する映像処理装置（第２の映像処理装置）とが異なっている場合であって、前記第２の映像処理装置が前記映像データで指定されたエフェクトに対応していない場合には、編集時と同じエフェクトを施した映像を前記第２の映像処理装置で再生することができない。そこで、前記第２の映像処理装置は、指定されたエフェクトを無視して、原画像データを映像データとして表示することになる。このような場合、視聴者は、表示された映像データにエフェクトが施されていることに気づくことができない。即ち、前記映像データが編集者の意図しない映像として視聴されてしまうという問題がある。
【０００６】
以上のように、従来の技術では、映像データなどの情報データに施されているエフェクトを実現するための機能を有していない装置で前記情報データを再生した場合には、視聴者が、前記情報データにエフェクトが施されることを知ることが困難であるという問題点があった。
【０００７】
本発明は、前述の問題点に鑑みてなされたものであり、情報データに施されているエフェクトを実現するための機能を有していない装置で前記情報データを再生した場合でも、前記情報データにエフェクトが施されていることを視聴者に確実に認識させることができるようにすることを目的とする。
【課題を解決するための手段】
【０００８】
本発明の情報再生装置は、情報データと、前記情報データに施すエフェクトの処理内容を表すエフェクトデータと、前記エフェクトデータに基づいて前記情報データに施されるエフェクトの代わりとなる代替データとを入力する入力手段と、前記入力手段により入力されたエフェクトデータに基づくエフェクトを前記情報データに施せるか否かを判断する判断手段と、前記判断手段により、前記エフェクトデータに基づくエフェクトを前記情報データに施せると判断された場合には、前記エフェクトを施して前記情報データを再生し、前記判断手段により、前記エフェクトデータに基づくエフェクトを前記情報データに施せないと判断された場合には、前記情報データに前記エフェクトを施す代わりに、前記代替データを再生する再生手段とを有することを特徴とする。
本発明の情報処理装置は、情報データに施すエフェクトの処理内容を表すエフェクトデータを作成するエフェクトデータ作成手段と、前記エフェクトデータに基づいて前記情報データに施されるエフェクトの代わりとなる代替データを作成する代替データ作成手段と、前記情報データと、前記エフェクトデータ作成手段により作成されたエフェクトデータと、前記代替データ作成手段により作成された代替データとを出力する出力手段とを有することを特徴とする。
また、本発明の他の情報処理装置は、情報データに施すエフェクトの処理内容を表すエフェクトデータを作成するエフェクトデータ作成手段と、前記情報データを第１の符号量で符号化するとともに、前記エフェクトが施された情報データを前記第１の符号量よりも少ない第２の符号量で符号化する符号化手段と、前記第１の符号量で符号化された情報データと、前記第２の符号量で符号化された情報データと、前記エフェクトデータとを出力する出力手段とを有し、前記第２の符号量で符号化された情報データは、前記エフェクトデータに基づいて前記情報データに施されるエフェクトの代わりとなる代替データであることを特徴とする。
【０００９】
本発明の情報再生方法は、情報データと、前記情報データに施すエフェクトの処理内容を表すエフェクトデータと、前記エフェクトデータに基づいて前記情報データに施されるエフェクトの代わりとなる代替データとを入力する入力ステップと、前記入力ステップにより入力されたエフェクトデータに基づくエフェクトを前記情報データに施せるか否かを判断する判断ステップと、前記判断ステップにより、前記エフェクトデータに基づくエフェクトを前記情報データに施せると判断された場合には、前記エフェクトを施して前記情報データを再生し、前記判断ステップにより、前記エフェクトデータに基づくエフェクトを前記情報データに施せないと判断された場合には、前記情報データに前記エフェクトを施す代わりに、前記代替データを再生する再生ステップとを有することを特徴とする。
本発明の情報処理方法は、情報データに施すエフェクトの処理内容を表すエフェクトデータを作成するエフェクトデータ作成ステップと、前記エフェクトデータに基づいて前記情報データに施されるエフェクトの代わりとなる代替データを作成する代替データ作成ステップと、前記情報データと、前記エフェクトデータ作成ステップにより作成されたエフェクトデータと、前記代替データ作成ステップにより作成された代替データとを出力する出力ステップとを有することを特徴とする。
本発明の他の情報処理方法は、情報データに施すエフェクトの処理内容を表すエフェクトデータを作成するエフェクトデータ作成ステップと、前記情報データを第１の符号量で符号化するとともに、前記エフェクトが施された情報データを前記第１の符号量よりも少ない第２の符号量で符号化する符号化ステップと、前記第１の符号量で符号化された情報データと、前記第２の符号量で符号化された情報データと、前記エフェクトデータとを出力する出力ステップとを有し、前記第２の符号量で符号化された情報データは、前記エフェクトデータに基づいて前記情報データに施されるエフェクトの代わりとなる代替データであることを特徴とする。
【００１０】
本発明のコンピュータプログラムは、情報データと、前記情報データに施すエフェクトの処理内容を表すエフェクトデータと、前記エフェクトデータに基づいて前記情報データに施されるエフェクトの代わりとなる代替データとを入力する入力ステップと、前記入力ステップにより入力されたエフェクトデータに基づくエフェクトを前記情報データに施せるか否かを判断する判断ステップと、前記判断ステップにより、前記エフェクトデータに基づくエフェクトを前記情報データに施せると判断された場合には、前記エフェクトを施して前記情報データを再生し、前記判断ステップにより、前記エフェクトデータに基づくエフェクトを前記情報データに施せないと判断された場合には、前記情報データに前記エフェクトを施す代わりに、前記代替データを再生する再生ステップとをコンピュータに実行させることを特徴とする。
本発明の他のコンピュータプログラムは、情報データに施すエフェクトの処理内容を表すエフェクトデータを作成するエフェクトデータ作成ステップと、前記エフェクトデータに基づいて前記情報データに施されるエフェクトの代わりとなる代替データを作成する代替データ作成ステップと、前記情報データと、前記エフェクトデータ作成ステップにより作成されたエフェクトデータと、前記代替データ作成ステップにより作成された代替データとを出力する出力ステップとをコンピュータに実行させることを特徴とする。
本発明の他のコンピュータプログラムは、情報データに施すエフェクトの処理内容を表すエフェクトデータを作成するエフェクトデータ作成ステップと、前記情報データを第１の符号量で符号化するとともに、前記エフェクトが施された情報データを前記第１の符号量よりも少ない第２の符号量で符号化する符号化ステップと、前記第１の符号量で符号化された情報データと、前記第２の符号量で符号化された情報データと、前記エフェクトデータとを出力する出力ステップとをコンピュータに実行させ、前記第２の符号量で符号化された情報データは、前記エフェクトデータに基づいて前記情報データに施されるエフェクトの代わりとなる代替データであることを特徴とする。
本発明のコンピュータ読み取り可能な記録媒体は、前記記載のコンピュータプログラムを記録したことを特徴とする。
【発明の効果】
【００１１】
本発明によれば、エフェクトデータに基づくエフェクトを情報データに施せない場合には、前記情報データに前記エフェクトを施す代わりに、前記エフェクトの代わりとなる代替データを再生するようにしたので、前記エフェクトを実現するための機能を有していない情報再生装置で前記情報データを再生する場合であっても、前記情報データに前記エフェクトが施されていることを視聴者に知らせることができる。
また、本発明の他の特徴によれば、エフェクトデータに基づくエフェクトを、第１の符号量で符号化された画像データに施せない場合には、前記第１の符号量で符号化された画像データに前記エフェクトを施す代わりに、前記エフェクトが既に施されている画像データであって、前記第１の符号量よりも少ない第２の符号量で符号化された画像データを再生するようにしたので、前記画像データの容量の増加を可及的に抑制しつつ、前記画像データに前記エフェクトが施されていることを視聴者に知らせることができる。
【発明を実施するための最良の形態】
【００１２】
以下に、図面を参照しながら、本発明の実施形態について説明する。
以下の各実施形態では、まず、第１の映像処理装置において、撮影または記録された映像データに施したエフェクトの処理内容と、そのエフェクトの代替データとを記録媒体に記録するようにしている。そして、前記第１の映像処理装置と異なる第２の映像処理装置において、前記第１の映像処理装置で施したエフェクトを映像データに施すことが出来ない場合、前記エフェクトの代替データを用いて、前記映像データにエフェクトが施されていることを視聴者に知らせるようにしている。
【００１３】
（第１の実施形態）
まず、本発明の第１の実施形態について説明する。
図１は、本実施形態における映像処理装置の構成の一例を示すブロック図である。
図１において、本実施形態における映像処理装置１００のＣＰＵ１０２は、ＲＯＭ１０４に格納されている制御プログラムを元に動作し、通信バス１０１を介して接続されている各ブロックを制御することで映像データの記録・編集・再生動作を行う。
【００１４】
まず図１を用いて、通常の記録動作について説明する。ＣＣＤ１０７より撮像された画像、またはビデオ入力１０８より入力された画像が、画像入力部１０５において画像処理され、画像データとしてＲＡＭ１０３に格納される。この画像処理と同期して、マイク1０９より録音された音声、またはビデオ入力１０８より入力された音声が、音声入力部１０６において音声処理され、音声データとしてＲＡＭ１０３に格納される。
【００１５】
次に、前記画像データが画像出力部１１４によって読み出され、画像処理される。その後、この画像処理された画像が、ＬＣＤ（Liquid Crystal Display）１１６より出力される。また、前記画像データの読み出しと同期して、前記音声データが音声出力部１１５によって読み出され、音声処理される。その後、この音声処理された音声が、スピーカー１１８より出力される。
【００１６】
さらに、これら画像や音声の出力と同時に、ビデオ出力部１１７より画像信号と音声信号とが出力される。また、前記画像データと、前記音声データとは、符号化／復号化ユニット１１２によって読み出され、符号化されて符号化画像データと、符号化音声データとになって、それぞれＲＡＭ１０３に格納される。
【００１７】
ここで、符号化／復号化ユニット１１１で行われる符号化方式としては、例えばMotionJPEG、MPEG1、MPEG2、MPEG4などが利用される。また、ＣＰＵ１０２によって、符号化画像データの再生手順と符号化音声データの再生手順とを示すプレイリストが生成され、ＲＡＭ１０３に格納される。次に、プレイリストと、符号化画像データと、符号化音声データとがディスクコントローラ１１０によって読み出され、映像データとしてディスク１１１に記録される。
【００１８】
図２は、通常の記録動作時にディスク１１１に記録された映像データを構成する、プレイリスト、符号化画像データ、及び符号化音声データの一例を示す図である。
図２において、プレイリスト２００には、ビデオ・トラック２１１とオーディオ・トラック２１２とが含まれている。ビデオ・トラック２１１には符号化画像データ（ビデオ・データ）２２０の再生手順が記述されており、オーディオ・トラック２１２には符号化音声データ（オーディオ・データ）２３０の再生手順が記述されている。ここで、再生手順とは、例えば、各データを再生する開始時間、終了時間、及び符号化画像データ２２０の表示領域などの情報である。プレイリスト２００を用いて後述する再生処理を行うことにより符号化画像データ２２０と符号化音声データ２３０とを同期して再生することができる。
【００１９】
図３は、プレイリスト２００の各トラック２１１、２１２に記述されている情報の一部を示す図である。
図３において、識別番号は、プレイリスト２００によって同時に再生されるトラック２１１、２１２の中でユニークとなる番号である。複数のトラック２１１、２１２が同一の識別番号である場合には、後述する優先度に従って、いずれか１つのトラック２１１、２１２が選択され再生される。ただし、このプレイリスト２００においては、ビデオ・トラック２１１と、オーディオ・トラック２１２とに異なる識別番号が割り振られており、両方のトラックが同時に再生される。
【００２０】
図中のレイヤーは、複数のトラック２１１、２１２を同時に再生する際に、スーパーインポーズなどの重ね合わせ処理を行う順序を示している。即ち、レイヤーの値が小さいデータに対して、値の大きいデータが上書きされ、より手前に表示される。ただし、このプレイリスト２００は、画像のみを再生するビデオ・トラック２１１と、音声のみを再生するオーディオ・トラック２１２とにより構成されているため、重ね合わせを行う必要がなく、レイヤーは特に効果を持たない。
【００２１】
図中の優先度は、プレイリスト２００を再生する際に、優先して再生すべきトラックをより小さな値で示している。再生時には優先度の値が小さいトラックを優先して処理を行い、前記識別番号が同一のトラックが複数ある場合には、再生可能なトラックの中からより優先度の値が小さいトラックを選択して再生を行う。
【００２２】
なお、本実施形態では、識別番号と、レイヤーと、優先度とを別の情報としているが、いずれかの情報が他方の情報の機能を併用しても構わない。例えば、レイヤーや優先度を識別番号として利用しても構わない。
【００２３】
再び図１を用いて、プレイリスト２００に基づく再生動作について説明する。
ＣＰＵ１０２の制御に基づき、ディスク１１１に記録されたプレイリスト２００がディスクコントローラ１１０によって読み出され、ＲＡＭ１０３に格納される。ＣＰＵ１０２はプレイリスト２００を読み出し、各トラック２１１、２１２に関連付けられている符号化画像データ２２０と、符号化音声データ２３０とを、ディスクコントローラ１１０によって、ディスク１１１より読み出し、ＲＡＭ１０３に格納させる。
【００２４】
次に、ＣＰＵ１０２は、プレイリスト２００のビデオ・トラック２１１と、オーディオ・トラック２１２とに記録されている再生手順に基づき、符号化／復号化ユニット１１２を制御して、符号化画像データ２２０と、符号化音声データ２３０とをＲＡＭ１０３より読み出して復号化し、復号化した画像データと音声データとを、ＲＡＭ１０３に格納させる。
【００２５】
次に、前記復号化された画像データは、画像出力部１１４によって読み出され、画像処理される。そして、画像処理された画像データに基づく画像がＬＣＤ１１６より出力される。この復号化した画像データの読み出しと同期して、前記復号化した音声データが音声出力部１１５によって読み出され、音声処理される。そして、音声処理された音声データに基づく音声がスピーカー１１７より出力される。さらにこれら画像及び音声の出力と同時に、ビデオ出力部１１８より画像信号と音声信号とが出力される。
【００２６】
続いて図１を用いて、プレイリスト２００を編集し、新たなプレイリストを作成する第１の編集動作について説明する。ここで、第１の編集動作とは、ＣＰＵ１０２が、前記再生動作の中で、操作部１２０から操作部コントローラ１１９を介して入力した編集操作に基づき、再生される画像に対してエフェクトを施し、エフェクトを施した画像の外部への出力とディスク１１１への記録を行うものである。
【００２７】
まず、ＣＰＵ１０２の制御に基づき、指定された開始時間から終了時間までの範囲で、符号化／復号化ユニット１１２によって復号化されてＲＡＭ１０３に格納された前記画像データは、エフェクター１１３によって読み出される。そして、エフェクター１１３は、読み出した前記画像データに対して、指定されたエフェクトを施し、エフェクトを施した前記画像データを、エフェクト後画像データとしてＲＡＭ１０３に格納する。
【００２８】
次に、前記エフェクト後画像データは、画像出力部１１４によって読み出され、画像処理される。そして、画像処理された画像データに基づく画像がＬＣＤ１１６より出力される。この画像データの読み出しと同期して、前記復号化した音声データが音声出力部１１５によって読み出され、音声処理される。そして、音声処理された音声データに基づく音声がスピーカー１１８より出力される。さらにこれら画像及び音声の出力と同時に、ビデオ出力部１１７よりエフェクト後の画像の画像信号と音声信号とが出力される。
【００２９】
また、ＣＰＵ１０２によって、符号化画像データ２２０と符号化音声データ２３０とに加えて、前記エフェクトを施すためのエフェクト情報を管理するプレイリストが生成され、ＲＡＭ１０３に格納される。次に、前記プレイリストと、符号化画像データ２２０と、符号化音声データ２３０とがディスクコントローラ１１０によって読み出され、新たな映像データとしてディスク１１１に記録される。なお、ここに記載した例では画像に対してのみエフェクトを施したが、音声に対してもエフェクトを施すことが可能であり、その場合は対象となるデータは音声データとなる。また、複数の画像データや音声データに対してエフェクトを施すことも可能である。
【００３０】
図４は、前記第１の編集動作によってディスク１１１に記録された前記映像データを構成する、前記プレイリストと、符号化画像データ２２０と、符号化音声データ２３０との一例を示す図である。図４に示すプレイリスト３００と、図２に示した編集前のプレイリスト２００との相違点は、図４に示すプレイリスト３００には、エフェクト・トラック３１３が含まれる点である。
【００３１】
エフェクト・トラック３１３には、符号化画像データ（ビデオ・データ）２２０に対して施すエフェクトの手順が記述されている。エフェクト・トラック３１３には、例えば、モザイク、ワイプ、フェード、色調変換といったエフェクトの種類を示す識別番号と、エフェクトを施す対象画像データの識別情報と、エフェクトを施す対象画像領域、エフェクトの開始時間、及び終了時間などの情報とが記述されている。即ち、前記プレイリスト３００によって、符号化画像データ２２０と、符号化音声データ２３０と、符号化画像データ２２０に施すエフェクト処理とを同期して、再生することができる。
【００３２】
図５は、プレイリスト３００の各トラック２１１、２１２、３１３に記述されている情報の一部を示す図である。
図５において、図４に示したプレイリスト３００と、図２に示した編集前のプレイリスト２００との相違点は、図４に示したプレイリスト３００には、エフェクト・トラック３１３に関する情報が含まれる点である。このプレイリスト３００においては、全てのトラックに異なる番号が割り振られており、全てのトラックが同期して再生される。ビデオ・トラック２１１で再生される画像に対して、エフェクト・トラック３１３で再生されるエフェクト後の画像が上書きで合成される。
【００３３】
図６は、図４及び図５に示したプレイリスト３００の各トラック２１１、２１２、３１３のタイムテーブルと、それらプレイリスト３００の各トラック２１１、２１２、３１３のタイムテーブルに従って映像データを再生した結果とを表す図である。
図６に示すように、時刻ａにおいては、ビデオ・トラック２１１のタイムテーブル１０１０に従って画像１００１が、オーディオ・トラック２１２のタイムテーブル１０２０に従って音声がそれぞれ再生される。
【００３４】
次に、時刻ｂにおいては、エフェクト・トラック３１３のタイムテーブル１０３０で指定された開始時刻ｔ１と終了時刻ｔ２との間で、ビデオ・トラック２１１で指定された画像データに対して、エフェクト・トラック３１３で指定されたエフェクトが施された画像１００２と、オーディオ・トラック２１２のタイムテーブル１０２０に従った音声とが再生される。そして、時刻ｃにおいては、再びビデオ・トラック２１１のタイムテーブル１０１０に従った画像１００３と、オーディオ・トラック２１２のタイムテーブル１０２０に従った音声とが再生される。
【００３５】
しかしながら、プレイリスト３００を作成した映像処理装置１００と異なる第２の映像処理装置においては、映像処理装置１００が持っているエフェクト機能とは異なるエフェクト機能を持つ場合がある。例えば、プレイリスト３００のエフェクト・トラック３１３において、エフェクトの種類として、映像処理装置１００に固有の色調変換が指定されており、前記第２の映像処理装置が、その指定された色調変換を行う機能を持っていない場合がある。そのような場合、第２の映像処理装置では、エフェクト・トラック３１３に対応した映像を正常に再生することができない。このため、プレイリスト３００を作成した編集者の意図する再生結果を得ることができない問題がある。
【００３６】
そこで、本実施形態における映像処理装置１００では、原画像データにエフェクトを施すためのエフェクト・トラック３１３と、映像処理装置を問わずに再生できる代替トラックとを併せ持つプレイリストを作成し、ディスク１１１などの記録媒体に記録するようにしている。
【００３７】
図１を用いて、前記問題を解決した第２の編集動作について説明する。ここで、第２の編集動作は、ＣＰＵ１０２の制御に基づく前記第１の編集動作に加えて、映像処理装置を問わずに再生できる代替トラックをプレイリストに加えるものである。即ち、ＣＰＵ１０２は、符号化画像データ２２０と符号化音声データ２３０とに加えて、前記エフェクトを施すためのエフェクト情報と、前記エフェクトの代替トラックとを管理するプレイリストが生成され、ＲＡＭ１０３に格納される。次に、前記プレイリストと、符号化画像データ２２０と、符号化音声データ２３０とがディスクコントローラ１０９によって読み出され、新たな映像データとしてディスク１１１に記録される。
【００３８】
図７は、前記第２の編集動作によってディスク１１１に記録された前記映像データを構成する、前記プレイリストと、符号化画像データ２２０と、符号化音声データ２３０との一例を示す図である。図７に示すプレイリスト４００と、第１の編集動作の結果である図４に示したプレイリスト３００との相違点は、図７に示すプレイリスト４００には、テキスト・トラック４１４が含まれる点である。
【００３９】
テキスト・トラック４１４には、映像データを再生している映像処理装置が、指定されたエフェクトに対応していないことを示すテキストを表示するための再生手順が記述されている。具体的には、表示する文字列、開始時間、終了時間などの情報がテキスト・トラック４１４に記述されている。なお、テキスト・トラック４１４の前記文字列の内容は、エフェクト・トラック３１３で指定されているエフェクトの種類に依存して決定される。また、テキスト・トラック４１４に記述されている開始時間及び終了時間は、エフェクト・トラック４１３で指定されているエフェクトの開始時間及び終了時間とそれぞれ一致している。
【００４０】
図８は、図７に示したプレイリスト４００の各トラック２１１、２１２、３１３に記述されている情報の一部を示す図である。図７に示したプレイリスト４００と、第１の編集動作で作成されたプレイリスト３００との相違点は、図７に示したプレイリスト４００には、テキスト・トラック４１４に関する情報が含まれる点である。
【００４１】
テキスト・トラック４１４には、エフェクト・トラック３１３と同一の識別番号が割り振られており、プレイリスト４００を再生する映像処理装置はいずれかのトラックを選択して再生する。ここで、エフェクト・トラック３１３の優先度の方が、テキスト・トラック４１４の優先度よりも値が小さくなっている。即ち、映像処理装置を問わずに再生できるテキスト・トラック４１４よりも、エフェクト・トラック３１３の方が優先して再生される。しかし、前記第２の映像処理装置のように、エフェクト・トラック３１３で指定されるエフェクトにエフェクターが対応していない場合には、それに代えてテキスト・トラック４１４を再生する。
【００４２】
図９は、第２の映像処理装置が、図７及び図８に示したプレイリスト４００の各トラック２１１、２１２、３１３、４１４のタイムテーブルと、それらプレイリスト４００の各トラック２１１、２１２、３１３、４１４のタイムテーブルに従って映像データを再生した結果とを表す図である。
図９に示すように、時刻ａにおいては、ビデオ・トラック２１１のタイムテーブル１０１０に従って画像１００１が、オーディオ・トラック２１２のタイムテーブル１０２０に従って音声がそれぞれ再生される。
【００４３】
次に、時刻ｂにおいては、テキスト・トラック４１４のタイムテーブル１１４０で指定された開始時刻ｔ１と終了時刻ｔ２との間で、ビデオ・トラック２１１の指定する画像データに対して、テキスト・トラック４１４で指定された文字列「KNOWN EFFECT」が重ね合わせられた画像１１０２と、オーディオ・トラック２１２のタイムテーブル１０２０に従った音声とが再生される。
【００４４】
そして、時刻ｃにおいては、再びビデオ・トラック２１１のタイムテーブル１０１０に従った画像１００３と、オーディオ・トラック２１２のタイムテーブル１０２０に従った音声とが再生される。なお、エフェクト・トラック３１３で指定されたエフェクトに対応している映像処理装置１００でプレイリスト４００を再生した場合には、図６に示したプレイリスト３００の再生結果と同様の再生結果が得られる。
【００４５】
なお、本実施形態では、プレイリスト４００を作成した映像処理装置１００が有しているエフェクト機能を有していない第２の映像処理装置において、前記エフェクト機能を用いてエフェクトが施される映像データを再生する場合、原画像データに文字列を重ね合わせて表示するようにしたが、前記文字列の代わりにアイコンなどのグラフィック・データを原画像データに重ね合わせて表示するようにテキスト・トラック４１４を作成するよう構成しても良い。
【００４６】
以上のように、本実施形態では、画像データの編集に用いた映像処理装置（第１の映像処理装置）１００と異なる第２の映像処理装置が、映像処理装置（第１の映像処理装置）１００で指定されたエフェクトに対応していない場合には、そのエフェクトの代わりとなるテキスト表示やグラフィック表示を前記画像データに重ねて行うようにしたので、前記画像データを前記第２の映像処理装置で再生した場合に、編集者の意図するエフェクトが前記画像データに施せていないことを、視聴者に容易に且つ確実に知らせることができる。
【００４７】
（第２の実施形態）
次に、本発明の第２の実施形態について説明する。本実施形態の映像処理装置は、前述した第１の実施形態の映像処理装置に比べ、編集動作によって作成されるプレイリストに、エフェクト・トラックと併せて記録する代替トラックの内容が異なる。また、代替トラックによって再生される画像を符号化した第２の符号化画像データを、プレイリスト、符号化画像データ及び符号化音声データと併せてディスクに記録する点が異なる。このように、本実施形態と、前述した第１の実施形態とは、ディスクに記録する内容の一部と、それに伴う再生動作の一部とが異なるだけである。したがって、以下の説明においては、前述した第１の実施形態と同一の部分については、図１〜図９に付した符号と同一の符号を付すなどして詳細な説明を省略する。
【００４８】
まず、図１を用いて、本実施形態の映像処理装置が行う第３の編集動作について説明する。ここで、第３の編集動作は、ＣＰＵ１０２の制御に基づく前記第１の編集動作に加えて、映像処理装置を問わずに再生できる代替トラックをプレイリストに加えるものである。即ち、符号化／復号化ユニット１１２は、ＣＰＵ１０２の制御に従って、ＲＡＭ１０３に格納されたエフェクト後の画像データを読み出して符号化し、この符号化した第２の符号化画像データをＲＡＭ１０３に格納する。
【００４９】
ここで、前記第２の符号化画像データは、エフェクトを施す前の符号化画像データ２２０に比べて、より小さな符号量に符号化される。符号量を小さくする手段としては、より大きな量子化計数を用いて量子化する方法や、画像の解像度を粗くして記録するなどの方法などがある。このように、前記第２の符号化画像データの符号量を削減することで、格納するディスク１１１の容量を節約することができる。
【００５０】
続いて、ＣＰＵ１０２は、符号化画像データ２２０と符号化音声データ２３０と前記第２の符号化画像データとを管理するプレイリスト（後述）を生成して、ＲＡＭ１０３に格納する。
次に、前記プレイリストと、符号化画像データ２２０と、符号化音声データ２３０と、前記第２の符号化画像データとがディスクコントローラ１０９によって読み出され、映像データとしてディスク１１１に記録される。
【００５１】
図１０は、前記第３の編集動作によってディスク１１１に記録された前記映像データを構成する、前記プレイリストと、符号化画像データ２２０と、符号化音声データ２３０と、前記第２の符号化画像データとの一例を示す図である。図１０に示すプレイリスト５００と、第１の編集動作の結果である図４に示したプレイリスト３００との相違点は、図１０に示すプレイリスト５００には、第２のビデオ・トラック５１４が含まれる点である。
【００５２】
第２のビデオ・トラック５１４には、第２の符号化画像データ５４０の再生手順が記述されている。具体的に、この第２のビデオ・トラック５１４には、第２の符号化画像データ５４０を復号化して再生するためのタイムテーブルや、表示領域といった情報が記述されている。ここで前記タイムテーブルに記録されている再生開始時間及び再生終了時間は、エフェクト・トラック３１３で指定されているエフェクトの開始時間及び終了時間とそれぞれ一致しており、表示領域はビデオ・トラック２１１の表示領域と一致している。
【００５３】
図１１は、図１０に示したプレイリスト５００の各トラック２１１、２１２、３１３、５１４に記述されている情報の一部を示す図である。図１０に示したプレイリスト５００と、第１の編集動作で作成されたプレイリスト３００との相違点は、図１０に示したプレイリスト５００には、第２のビデオ・トラック５１４に関する情報が含まれる点である。
【００５４】
第２のビデオ・トラック５１４には、エフェクト・トラック５１３と同一の識別番号が割り振られており、プレイリスト５００を再生する映像処理装置は、エフェクト・トラック３１３または第２のビデオ・トラック５１４のいずれかのトラックを選択して再生する。ここで、エフェクト・トラック３１３の優先度が、第２のビデオ・トラック５１４の優先度より値が小さくなっている。即ち、第２のビデオ・トラック５１４よりも、エフェクト・トラック３１３の方が優先して再生される。しかし、前記第２の映像処理装置のように、エフェクト・トラック３１３で指定されるエフェクトにエフェクターが対応していない場合には、それに代えて第２のビデオ・トラック５１４を再生する。
【００５５】
その場合、第２のビデオ・トラック５１４で指定される表示領域と、ビデオ・トラック２１１で指定される表示領域とが一致しているため、第２のビデオ・トラック５１４のタイムテーブルで指定される開始時間と終了時間との間では、レイヤーの値がより大きい第２のビデオ・トラック５１４が再生され、ビデオ・トラック５１１は再生されない。
【００５６】
図１２は、前記第２の映像処理装置が、図１０及び図１１に示したプレイリスト５００の各トラック２１１、２１２、３１３、５１４のタイムテーブルと、それらプレイリスト５００の各トラック２１１、２１２、３１３、５１４のタイムテーブルに従って映像データを再生した結果とを表す図である。
図１２に示すように、時刻ａにおいては、ビデオ・トラック２１１のタイムテーブル１２１０に従って画像１２０１が、オーディオ・トラック２１２のタイムテーブル１０２０に従って音声がそれぞれ再生される。
【００５７】
次に、第２のビデオ・トラック５１４のタイムテーブル１２３０で指定された開始時刻ｔ１と終了時刻ｔ２との間にある時刻ｂにおいては、前記のようにレイヤーの値が小さいビデオ・トラック２１１の画像は再生されず、レイヤーの値が高い第２のビデオ・トラック５１４に従った画像１２０２と、オーディオ・トラック２１２のタイムテーブル１０２０に従った音声とが再生される。また、第２の符号化画像データ５４０が、符号化画像データ２２０に比べて小さい符号量に符号化されているため、画像１２０２は、符号化画像データ２２０より再生された画像１００２に比べて画質が劣る。しかしながら、前記第２の映像処理装置のエフェクターが対応していないエフェクトの施された画像を前記第２の映像処理装置で再生することができる。
【００５８】
そして、時刻ｃにおいては、再びビデオ・トラック２１１のタイムテーブル１２１０に従った画像１２０３と、オーディオ・トラック２１２のタイムテーブル１０２０に従った音声とが再生される。なお、エフェクト・トラック３１３で指定されたエフェクトに対応している映像処理装置１００でプレイリスト５００を再生した場合、図６に示したプレイリスト３００の再生結果と同様の結果が得られる。
【００５９】
以上のように、本実施形態では、画像データの編集に用いた映像処理装置（第１の映像処理装置）１００と異なる前記第２の映像処理装置が、前記画像データを編集した際に映像処理装置（第１の映像処理装置）１００で指定されたエフェクトに対応していない場合には、原画像データよりも小さい符号量で符号化してディスク（記録媒体）１１１に記録された画像（第２の符号化画像データ５４０）を再生するようにしたので、映像処理装置（第１の映像処理装置）１００でエフェクトが施された画像データを、前記第２の映像処理装置で再生した場合に、原画像データにエフェクトを施した場合に比べ画質が劣るものの、編集者の意図するエフェクトが施された画像データを表示することができる。また、原画像データよりも前記第２の符号化画像データ５４０を小さい符号量で符号化して記録しているため、画像データの容量の増加を抑制することができる。
【００６０】
（本発明の他の実施形態）
前述した実施形態の機能を実現するべく各種のデバイスを動作させるように、該各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００６１】
また、この場合、前記ソフトウェアのプログラムコード自体が前述した実施形態の機能を実現することになり、そのプログラムコード自体、及びそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００６２】
また、コンピュータが供給されたプログラムコードを実行することにより、前述の実施形態の機能が実現されるだけでなく、そのプログラムコードがコンピュータにおいて稼働しているＯＳ（オペレーティングシステム）あるいは他のアプリケーションソフト等と共同して前述の実施形態の機能が実現される場合にもかかるプログラムコードは本発明の実施形態に含まれることは言うまでもない。
【００６３】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって前述した実施形態の機能が実現される場合にも本発明に含まれることは言うまでもない。
【図面の簡単な説明】
【００６４】
【図１】本発明の第１の実施形態を示し、映像処理装置の構成の一例を示すブロック図である。
【図２】本発明の第１の実施形態を示し、通常の記録動作時にディスクに記録された映像データの一例を示す図である。
【図３】本発明の第１の実施形態を示し、通常の記録動作におけるプレイリストの各トラックに記述されている情報の一部を示す図である。
【図４】本発明の第１の実施形態を示し、第１の編集動作によってディスクに記録された映像データの一例を示す図である。
【図５】本発明の第１の実施形態を示し、第１の編集動作に基づくプレイリストの各トラックに記述されている情報の一部を示す図である。
【図６】本発明の第１の実施形態を示し、第１の編集動作に基づくプレイリストの各トラックのタイムテーブルと、それらプレイリストの各トラックのタイムテーブルに従って映像データを再生した結果とを表す図である。
【図７】本発明の第１の実施形態を示し、第２の編集動作によってディスクに記録された映像データの一例を示す図である。
【図８】本発明の第１の実施形態を示し、第２の編集動作に基づくプレイリストの各トラックに記述されている情報の一部を示す図である。
【図９】本発明の第１の実施形態を示し、第２の編集動作に基づくプレイリストの各トラックのタイムテーブルと、それらプレイリストの各トラックのタイムテーブルに従って映像データを再生した結果とを表す図である。
【図１０】本発明の第２の実施形態を示し、第３の編集動作によってディスクに記録された映像データの一例を示す図である。
【図１１】本発明の第２の実施形態を示し、第３の編集動作に基づくプレイリストの各トラックに記述されている情報の一部を示す図である。
【図１２】本発明の第２の実施形態を示し、第３の編集動作に基づくプレイリストの各トラックのタイムテーブルと、それらプレイリストの各トラックのタイムテーブルに従って映像データを再生した結果とを表す図である。
【符号の説明】
【００６５】
１００  映像処理装置
１０１  通信バス
１０２  ＣＰＵ
１０３  ＲＡＭ
１０４  ＲＯＭ
１０５  画像入力部
１０６  音声入力部
１０７  ＣＣＤ
１０８  ビデオ入力
１０９  マイク
１１０  ディスクコントローラ
１１１  ディスク
１１２  符号化／復号化ユニット
１１３  エフェクター
１１４  画像出力部
１１５  音声出力部
１１６  ＬＣＤ
１１７  ビデオ出力部
１１８  スピーカー
２００、３００、４００、５００  プレイリスト
２１１  ビデオ・トラック
２１２  オーディオ・トラック
２２０  符号化画像データ
２３０  符号化音声データ
３１３  エフェクト・トラック
４１４  テキスト・トラック
５１４  第２のビデオ・トラック
５４０  第２の符号化画像データ
【図１】
2006033505.tif 000003
【図２】
2006033505.tif 000004
【図３】
2006033505.tif 000005
【図４】
2006033505.tif 000006
【図５】
2006033505.tif 000007
【図６】
2006033505.tif 000008
【図７】
2006033505.tif 000009
【図８】
2006033505.tif 000010
【図９】
2006033505.tif 000011
【図１０】
2006033505.tif 000012
【図１１】
2006033505.tif 000013
【図１２】
2006033505.tif 000014